(57)【要約】【課題】  離散的に映像を変化させることなく滑らかで連続的に映像が変化するように変換して高解像度の映像を提示する。【解決手段】  光ファイバが、パネル表示部２の映像発生面に設けられて映像光を入力する光入力部３ａと、当該光入力部３ａによって入力した映像光を出力する光出力部３ｂとを有する。制御部４は、入力側駆動部５Ａを制御して光入力部３ａをパネル表示部２の光発生面上において第１所定速度及び第１所定幅で走査させると共に、出力側駆動部５Ｂを制御して光出力部３ｂを映像提示部２に対して第２所定速度及び第２所定幅で走査させる。このような映像変換システムは、パネル表示部２において各画素で段階的に色と輝度の少なくとも一方が変化する映像を、連続的に色と輝度の少なくとも一方が変化する映像に変換してスクリーン１に表示させる。【選択図】      図１
2009145564.tif 000002
【特許請求の範囲】
【請求項１】
所定面積に区分された複数の表示領域のそれぞれから映像光を出力する映像発生部と、
前記映像発生部の映像発生面に設けられ、当該映像発生部の各表示領域から出力されている映像光を入力する入力部と、当該入力部によって入力した映像光を出力する出力部とを有した光ファイバと、
前記光ファイバの出力部から出力された映像光が入射される映像提示部と、
前記光ファイバの入力部を前記映像発生部の光発生面上で走査させる第１駆動部と、
前記光ファイバの出力部を前記映像提示部に対して走査させる第２駆動部と、
前記第１駆動部を制御して前記光ファイバの入力部を前記映像発生部の光発生面上において第１所定速度及び第１所定幅で走査させると共に、前記第２駆動部を制御して前記光ファイバの出力部を前記映像提示部に対して第２所定速度及び第２所定幅で走査させる制御部とを備え、
前記映像発生部において各表示領域で段階的に色と輝度の少なくとも一方が変化する映像を、連続的に色と輝度の少なくとも一方が変化する映像に変換して前記映像提示部に表示させることを特徴とする映像変換システム。
【請求項２】
前記第１駆動部は、前記光ファイバの入力部を前記映像発生部の光発生面上において縦方向又は横方向の何れかの方向に移動すると共に、前記第２駆動部は、前記光ファイバの出力部を前記映像提示部に対して縦方向又は横方向の何れかの方向に移動することを特徴とする請求項１に記載の映像変換システム。
【請求項３】
前記第１駆動部は、前記光ファイバの入力部を前記映像発生部の光発生面上において横方向に移動させる場合には、前記映像発生部において隣接する表示領域の行間上に前記光ファイバの入力部を配置し、前記光ファイバの出力部を前記映像発生部の光発生面上において縦方向に移動させる場合には、前記映像発生部において隣接する表示領域の列間上に前記光ファイバの入力部を配置することを特徴とする請求項２に記載の映像変換システム。
【請求項４】
前記映像発生部の表示面積と、前記映像提示部の提示面積とが異なり、
前記制御部は、前記第１駆動部によって前記光ファイバの入力部が前記映像発生部の全表示面積を走査するタイミングと、前記第２駆動部によって前記光ファイバの出力部が前記映像提示部の全提示面積を走査するタイミングとを同期させること
を特徴とする請求項１乃至請求項３の何れか一項に記載の映像変換システム。
【請求項５】
前記光ファイバを複数本備え、
前記第１駆動部は、複数の光ファイバの入力部を前記映像発生部の光発生面上で走査させると共に、前記第２駆動部は、複数の光ファイバの出力部を前記映像提示部に対して走査させること
を特徴とする請求項１乃至請求項４の何れか一項に記載の映像変換システム。
【請求項６】
前記映像発生部、前記光ファイバの入力部、前記光ファイバの出力部、前記映像提示部に入射する外光を遮断する遮光部を備えることを特徴とする請求項１乃至請求項５の何れか一項に記載の映像変換システム。
【請求項７】
前記映像発生部は、第１偏光方向の右眼用映像光と第２偏光方向の左眼用映像光とを出力し、
前記映像提示部は、前記第１偏光方向の映像光を透過又は反射する部分と前記第２偏光方向の映像光を透過又は反射する部分とが区分されて構成されていること
を特徴とする請求項１乃至請求項６の何れか一項に記載の映像変換システム。
【請求項８】
前記映像発生部は、右眼用映像光と左眼用映像光とを所定の時間ごとに切り替えて出力すること
を特徴とする請求項１乃至請求項６の何れか一項に記載の映像変換システム。
【発明の詳細な説明】
【技術分野】
【０００１】
本発明は、所定面積の区画ごとに異なる色又は輝度となっている映像を、滑らかな色又は輝度の変化の映像に変換する映像変換システムに関する。
【背景技術】
【０００２】
従来より、光ファイバを用いて構成したディスプレイとしては、下記の特許文献１に記載されたものが知られている。
【０００３】
この特許文献１に記載された技術は、表示面をドーム型とした広視野角映像表示装置である。この映像表示装置は、ドーム内面の映像表示面を、多数の光ファイバースクリーンを組上げて構成した単位映像表示要素によって構成している。各光ファイバースクリーンは、映像表示面と液晶ディスプレイの表示面に対向する受光面との間を多数の光ファイバーケーブルの束で結んで構成されている。各液晶ディスプレイには、広視野角映像表示面に表示される映像を分割した画像情報が同期して入力され、各単位映像表示要素から映像を表示している。
【０００４】
このようなディスプレイを始めとして、画素表示された映像の色変化を滑らかにすることで、高解像度化の効果を得ることが行われている。
【特許文献１】特開平６−４３４７６号公報
【発明の開示】
【発明が解決しようとする課題】
【０００５】
しかしながら、従前の高解像度化技術では、画像処理や、信号レベルでの操作によるものが多く、映像処理を施した後の映像を表示する映像表示部が、依然として画素単位で表示を行うデバイスを用いている。したがって、映像表示部において隣接する画素間での色又は輝度の変化が離散的な変化となってしまう。
【０００６】
そこで、本発明は、上述した実情に鑑みて提案されたものであり、離散的に色又は輝度を変化させることなく滑らかで連続的に色又は輝度が変化するように変換して高解像度の映像を提示することができる映像変換システムを提供することを目的とする。
【課題を解決するための手段】
【０００７】
本発明は、所定面積に区分された複数の表示領域のそれぞれから映像光を出力する映像発生部と、映像発生部の映像発生面に設けられ、当該映像発生部の各表示領域から出力されている映像光を入力する入力部と、当該入力部によって入力した映像光を出力する出力部とを有した光ファイバと、光ファイバの出力部から出力された映像光が入射される映像提示部と、光ファイバの入力部を映像発生部の光発生面上で走査させる第１駆動部と、光ファイバの出力部を映像提示部に対して走査させる第２駆動部と、第１駆動部を制御して光ファイバの入力部を映像発生部の光発生面上において第１所定速度及び第１所定幅で走査させると共に、第２駆動部を制御して光ファイバの出力部を映像提示部に対して第２所定速度及び第２所定幅で走査させる制御部とを備える。このような映像変換システムは、映像発生部において各表示領域で段階的に色と輝度の少なくとも一方が変化する映像を、連続的に色と輝度の少なくとも一方が変化する映像に変換して映像提示部に表示させる。
【発明の効果】
【０００８】
本発明によれば、光ファイバの入力部を映像発生部の光発生面上において走査させると共に、光ファイバの出力部を映像提示部に対して走査させることによって、離散的に色と輝度の少なくとも一方を変化させることなく滑らかで連続的に色と輝度の少なくとも一方が変化するように変換して高解像度の映像を提示することができる。
【発明を実施するための最良の形態】
【０００９】
以下、本発明の実施の形態について図面を参照して説明する。
【００１０】
本発明を適用した映像変換システムは、図１に示すように、映像提示部であるスクリーン１と、当該スクリーン１によって表示させるための映像光を出力するパネル表示部（映像発生部）２と、当該パネル表示部２によって発生された映像をスクリーン１に伝達する光ファイバ３（３ａ，３ｂ，３ｃ）と、当該光ファイバ３を駆動するための制御を行う制御部４と、光ファイバ３を駆動する駆動部５Ａ，５Ｂと、パネル表示部２の動作を制御する表示コントローラ６とを備える。なお、この映像変換システムにおいて、スクリーン１に表示する映像信号は、表示コントローラ６をパーソナルコンピュータ、ＴＶチューナ、ＤＶＤプレーヤ等によって構成することによって、表示コントローラ６から出力されているものとして説明する。
【００１１】
スクリーン１は、光ファイバ３から出射された映像光を入射して、観察者側に透過させる薄膜である。このスクリーン１は、後述するように光ファイバ３の光出力部３ｂが映像表示面の背面で走査されることによって、光発生面側に映像を表示する。
【００１２】
パネル表示部２は、所定面積に区分された複数の表示領域（画素）のそれぞれから映像光を出力する映像発生部である。具体的には、パネル表示部２は、ディジタルの映像信号が表示コントローラ６から供給されて駆動する液晶パネルなどからなる。そして、パネル表示部２は、液晶パネルの各画素によって映像光を表示させる。このパネル表示部２の光発生面には、当該パネル表示部２から発生した映像光を入射して、スクリーン１に向けて投影する光ファイバ３が設けられている。
【００１３】
光ファイバ３は、その一端を光入力部３ａとし、他端を光出力部３ｂとしている。光ファイバ３は、パネル表示部２の各表示領域（各画素）から出力されている映像光を入力する光入力部３ａと、当該光入力部３ａによって入力した映像光を出力する光出力部３ｂと、光入力部３ａによって入力した光を光出力部３ｂに伝達する光ファイバ部３ｃとを有する。この光ファイバ３は、光入力部３ａがパネル表示部２の光発生面に設けられ、光出力部３ｂがスクリーン１の映像表示面の背面に設けられている。光入力部３ａとパネル表示部２との距離は、パネル表示部２の一画素に相当する領域の映像光のみを検出するように設定されている。光出力部３ｂとスクリーン１との距離は、光入力部３ａが検出した一画素に相当する領域の映像光をそのままのサイズでスクリーン１に投影できるように設定されている。
【００１４】
光ファイバ３は、光入力部３ａがパネル表示部２の光発生面上で走査させる入力側駆動部５Ａと、光ファイバ３の光出力部３ｂをスクリーン１に対して走査させる出力側駆動部５Ｂとからなる駆動部５を備える。入力側駆動部５Ａは、制御部４によって制御されることによって光入力部３ａを走査させ、出力側駆動部５Ｂは、制御部４によって制御されることによって光出力部３ｂを走査させる。
【００１５】
入力側駆動部５Ａは、例えば、パネル表示部２の画素に沿って光入力部３ａを走査させるために、光入力部３ａをスライドさせるレールと当該レール上において光入力部３ａをスライドさせる駆動力を発生させるモータ機構によって構成されている。また、出力側駆動部５Ｂは、例えば、光入力部３ａと同様の走査方式によって光出力部３ｂをスクリーン１上で走査させるために、光出力部３ｂをスライドさせるレールと当該レール上において光出力部３ｂをスライドさせる駆動力を発生させるモータ機構によって構成されている。
【００１６】
制御部４は、入力側駆動部５Ａを制御して光ファイバ３の光入力部３ａをパネル表示部２の光発生面上において第１所定速度及び第１所定幅で走査させると共に、出力側駆動部５Ｂを制御して光ファイバ３の光出力部３ｂをスクリーン１に対して第２所定速度及び第２所定幅で走査させる。
【００１７】
ここで、第１所定幅はパネル表示部２の縦又は横サイズに相当し、第１所定速度は、パネル表示部２の縦又は横サイズ及び画像更新周波数（フレーム時間）によって決定される。第２所定幅はスクリーン１の縦又は横サイズに相当し、第２所定速度は、スクリーン１の縦又は横サイズ及び画像更新周波数（フレーム時間）によって決定される。また、制御部４は、パネル表示部２の画面上における光入力部３ａの走査速度と走査幅の積と、スクリーン１の画面上における光出力部３ｂの走査速度と走査幅の積とが一定となるように制御する。これによって、制御部４は、光入力部３ａの動作と光出力部３ｂの動作との同期を取る。
【００１８】
このような映像変換システムは、画素ごとに段階的に色と輝度の少なくとも一方が変化する映像を、連続的に色と輝度の少なくとも一方が変化する映像に変換する。なお、この説明では、色又は輝度を連続的に変換させるという表現を用いるが、映像変換システムによって、映像の要素となる色と輝度の少なくとも一方を連続的に変化させるという意味である。例えば白黒画像のように輝度からなる映像の場合には輝度のみを連続的に変化させることとなり、輝度一定のカラー画像の場合には色のみを連続的に変化させることとなり、通常のカラー画像の場合には色と輝度の両方を連続的に変化させることとなる。
【００１９】
図２（ａ）に示すように、パネル表示部２に表示されている映像は、画素ごとの映像光からなり、画素ごとに離散的な色又は輝度の変化となっている。図２（ａ）に示す例では、右から左の画素であるほど画素の明るさが段階的に高くなることを示している。これに対し、光入力部３ａをパネル表示部２上で走査させると共に光出力部３ｂをスクリーン１の映像表示面の背面で走査させた時に、スクリーン１に表示される映像は、図２（ｂ）のようになる。この図２（ｂ）に示す映像は、段階的な色又は輝度の変化となることなく、右から左の映像部分であるほど画素の明るさが連続的に高くなっていることを示している。
【００２０】
この映像変換の原理を図３に示す。この図３中の右側のように、パネル表示部２において隣接する画素ｎ，画素ｎ＋１上を光入力部３ａが走査した時、当該画素ｎ，画素ｎ＋１から発生される映像光は、当該光入力部３ａによって検出した映像光を光ファイバ部３ｃを介して光出力部３ｂに伝達して、図３中右側のスクリーン１の表示部分１ａのように変換される。
【００２１】
図３（ａ）に示す状態は、光入力部３ａが画素ｎから発生される映像光のみを検出している。これに対し、スクリーン１の表示部分１ａに表示される映像は、画素ｎの映像光の割合が１００％、画素ｎ＋１の映像光の割合が０％の混合光となる。そして、光入力部３ａ及び光出力部３ｂが図中右側に走査した図３（ｂ）に示す状態は、光入力部３ａが検出する映像光のうち画素ｎの映像光の割合が７５％、画素ｎ＋１の映像光の割合が２５％となる。したがって、スクリーン１の表示部分１ａに表示される映像は、画素ｎの映像光の割合が７５％、画素ｎ＋１の映像光の割合が２５％の混合光となる。更に、図３（ｃ）に示す状態は、光入力部３ａが検出する映像光のうち画素ｎの映像光の割合が５０％、画素ｎ＋１の映像光の割合が５０％となる。したがって、スクリーン１の表示部分１ａに表示される映像は、画素ｎの映像光の割合が５０％、画素ｎ＋１の映像光の割合が５０％の混合光となる。更に、図３（ｄ）に示す状態は、光入力部３ａが検出する映像光のうち画素ｎの映像光の割合が２５％、画素ｎ＋１の映像光の割合が７５％となる。したがって、スクリーン１の表示部分１ａに表示される映像は、画素ｎの映像光の割合が２５％、画素ｎ＋１の映像光の割合が７５％の混合光となる。更に、図３（ｅ）に示す状態は、光入力部３ａが検出する映像光のうち画素ｎの映像光の割合が０％、画素ｎ＋１の映像光の割合が１００％となる。したがって、スクリーン１の表示部分１ａに表示される映像は、画素ｎの映像光の割合が０％、画素ｎ＋１の映像光の割合が１００％の混合光となる。
【００２２】
そして、図４に示すように、パネル表示部２の光発生面上において、光入力部３ａを図中矢印方向に走査速度Ｖinで走査させると共に、スクリーン１の映像表示面の背面において、光出力部３ｂを図中矢印方向に走査速度Ｖoutで走査させる。これにより、光入力部３ａによってパネル表示部２を構成する各画素の色情報又は輝度情報を取得し、光出力部３ｂによって隣接する画素の色情報又は輝度情報を合成した映像光をスクリーン１に対して出力することができる。このとき、制御部４は、パネル表示部２の走査幅Ｗinと光入力部３ａの走査速度Ｖinとの積と、スクリーン１の走査幅Ｗoutと光出力部３ｂの走査速度Ｖoutとの積とを等しくするように駆動部５を制御する。
【００２３】
制御部４によって入力側駆動部５Ａ及び出力側駆動部５Ｂを制御して、光入力部３ａをパネル表示部２の全面に亘って走査し、光出力部３ｂをスクリーン１の全面に亘って走査することによって、スクリーン１に、パネル表示部２に対する光入力部３ａの位置に対応した映像光を投影することができ、スクリーン１に色又は輝度が連続的に変化する映像を表示させることができる。
【００２４】
このように、本発明を適用した映像変換システムによれば、ディジタルの映像信号が表示コントローラ６から供給されて映像を表示するパネル表示部２の光発生面に近接させて光入力部３ａを配置して、当該光入力部３ａをパネル表示部２の画素間で移動させることによって、光入力部３ａが隣接する２つの画素を覆う割合に応じて、当該割合でそれぞれの光（色情報又は輝度情報）を取り込むことができる。これにより、光出力部３ｂからは、２つの画素に対して光入力部３ａが覆う割合に応じた、２つの画素の混合色を出力することができる。
【００２５】
また、この映像変換システムによれば、制御部４によって光入力部３ａと光出力部３ｂとの動作を同期させることによって、パネル表示部２の表示画面に同期してスクリーン１に表示している映像を更新することができる。
【００２６】
また、映像変換システムは、図５に示すように、パネル表示部２が長方形であり、スクリーン１が長方形ではない台形である場合であっても、パネル表示部２の幅と光入力部３ａの速度との積と、スクリーン１の幅と光出力部３ｂの速度との積とを等しくさせる。スクリーン１が上端から下端に亘って走査幅Ｗout_1〜走査幅Ｗout_nまで狭くなっている場合、スクリーン１の行ごとに走査速度ＶoutをＶout_1〜Ｖout_nまで次第に遅くする。これによって、図５中のスクリーン１内に示すように、パネル表示部２の走査幅Ｗinとほぼ同じ走査幅Ｗoutのスクリーン１の部分には、パネル表示部２の画素と同等のサイズで連続的に色又は輝度が変化した映像を表示することができる。一方、パネル表示部２の走査幅Ｗinよりも狭い走査幅Ｗout_nのスクリーン１の部分には、パネル表示部２の画素よりも狭いサイズで連続的に色又は輝度が変化した映像を表示することができる。
【００２７】
更に、映像変換システムは、図６に示すように、入力側駆動部５Ａによって、光ファイバ３の光入力部３ａをパネル表示部２の光発生面上において縦方向又は横方向の何れかの方向に移動する共に、出力側駆動部５Ｂによって、光ファイバ３の光出力部３ｂをスクリーン１に対して縦方向又は横方向の何れかの方向に移動しても良い。具体的には、図６（ａ）に示すように、図４及び図５と同様にパネル表示部２に対して光入力部３ａを横方向に走査させると共にスクリーン１に対して光出力部３ｂを横方向に走査させる方式のみならず、図６（ｂ）、（ｃ）、（ｄ）に示すような走査方式であっても良い。図６（ｂ）に示す走査方式は、パネル表示部２に対して光入力部３ａを左端から右端に向けて走査した後に右端から左端に向けて走査する動作を繰り返し、これと同様にスクリーン１に対して光出力部３ｂを走査させる。図６（ｃ）に示す走査方式は、パネル表示部２に対して光入力部３ａを上端から下端へ走査した後に隣接する列に移行する動作を繰り返し、これと同様にスクリーン１に対して光出力部３ｂを走査させる。図６（ｄ）に示す走査方式は、パネル表示部２に対して光入力部３ａを上端から下端に向けて走査した後に隣接する列を上端から下端に向けて走査する動作を繰り返し、これと同様にスクリーン１に対して光出力部３ｂを走査させる。
【００２８】
このように映像変換システムは、光入力部３ａを縦方向に走査させることによって、パネル表示部２における縦方向において色又は輝度の変化が連続的な映像をスクリーン１に表示させることができる。また、映像変換システムは、光出力部３ｂを横方向に走査させることによって、パネル表示部２における横方向において色又は輝度の変化が連続的な映像をスクリーン１に表示させることができる。
【００２９】
更にまた、この映像変換システムは、図７及び図８に示すように、光ファイバ３の光入力部３ａによってパネル表示部２の行間又は列間の映像光を検出して、光ファイバ３の光出力部３ｂによってスクリーン１に映像を表示させても良い。
【００３０】
映像変換システムは、図７に示すように光ファイバ３の光出力部３ｂをパネル表示部２の光発生面上において横方向に移動させる場合には、入力側駆動部５Ａによって、パネル表示部２において隣接する表示領域の行間上に光ファイバ３の光入力部３ａを配置して、走査させる。パネル表示部２の上端から１行目、２行目の映像を変換する場合、制御部４は、パネル表示部２の１行目に光入力部３ａを走査させ、次にパネル表示部２の１行目と２行目の行間に光入力部３ａを走査させ、次にパネル表示部２の２行目に光入力部３ａを走査させることとなる。これにより、スクリーン１に表示される映像は、横方向における色又は輝度の変化が連続的とされると共に、行間における色又は輝度の変化が連続的とされる。
【００３１】
一方、映像変換システムは、図８に示すように、光ファイバ３の光入力部３ａをパネル表示部２の光発生面上において縦方向に移動させる場合には、入力側駆動部５Ａによって、パネル表示部２において隣接する表示領域の列間上に光ファイバ３の光入力部３ａを配置して、走査させる。パネル表示部２の左端から１列目、２列目の映像を変換する場合、制御部４は、パネル表示部２の１列目に光入力部３ａを走査させ、次にパネル表示部２の１列目と２列目の列間に光入力部３ａを走査させ、次にパネル表示部２の２列目に光入力部３ａを走査させることとなる。これにより、スクリーン１に表示される映像は、縦方向における色又は輝度の変化が連続的とされると共に、列間における色又は輝度の変化が連続的とされる。
【００３２】
このような映像変換システムによれば、光入力部３ａを横方向に走査する場合に、縦方向の行間においても横方向に走査することで、横に隣接する画素だけでなく、縦に隣接する画素においても色又は輝度の変化を連続的にすることができる。同様に、映像変換システムによれば、光入力部３ａを縦方向に走査する場合に、横方向の列間においても縦方向に走査することで、縦に隣接する画素だけでなく、横に隣接する画素においても色又は輝度の変化を連続的にすることができる。
【００３３】
更にまた、この映像変換システムは、図９に示すように、パネル表示部２の表示面積と、スクリーン１の提示面積とが異なるように構成しても良い。このようにパネル表示部２とスクリーン１とのサイズが異なる場合、例えば、当該サイズの比率を、光入力部３ａの光入力用の開口面積と光出力部３ｂの光出力用の開口面積との比率と同じにする。これによって、パネル表示部２の表示面積がスクリーン１の提示面積の半分である場合には、光入力部３ａの光入力用の開口面積と光出力部３ｂの光出力用の開口面積との比率を１：２とする。
【００３４】
また、制御部４は、入力側駆動部５Ａによって光ファイバ３の光入力部３ａが映像発生部の全表示面積を走査させるタイミングと、出力側駆動部５Ｂによって光ファイバ３の光出力部３ｂがスクリーン１の全提示面積を走査させるタイミングとを同期させる。例えば、パネル表示部２の走査幅が、スクリーン１の走査幅の半分である場合には、光入力部３ａの走査速度よりも光出力部３ｂの走査速度の２倍にすることとなる。
【００３５】
これによって、映像変換システムは、パネル表示部２の段階的な映像を連続的な映像に変換してスクリーン１に表示させる時に、映像のサイズも変換することができる。なお、パネル表示部２の映像を拡大してスクリーン１に表示させる例について説明したが、逆に、パネル表示部２の映像を縮小してスクリーン１に表示させても良いことは勿論である。
【００３６】
更にまた、この映像変換システムは、図１０に示すように、パネル表示部２の光発生面及びスクリーン１の映像表示面の背面に配置される光ファイバ３を複数本で構成しても良い。
【００３７】
図１０に示す映像変換システムは、５本の光ファイバ３＿１，３＿２，３＿３，３＿４，３＿５を備える。この映像変換システムは、光入力部３ａ＿１，３ａ＿２，３ａ＿３，３ａ＿４，３ａ＿５の光入力部３ａによって同時にパネル表示部２の映像光を検出し、光ファイバ３＿１，３＿２，３＿３，３＿４，３＿５の光出力部３ｂ＿１，３ｂ＿２，３ｂ＿３，３ｂ＿４，３ｂ＿５によって同時にスクリーン１に映像光を出射する。
【００３８】
この時、駆動部５’は、光ファイバ３ごとに所定の走査速度で所定の走査幅を走査させるように構成されている。なお、図示した例では、複数の光ファイバ３を隣接させて走査させているが、当該光ファイバ３の本数よりも行数が多い場合には、複数の光ファイバ３によって複数回に亘って行方向に走査を行うことによって、パネル表示部２の全体の映像をスクリーン１の全体に亘って表示させることができる。
【００３９】
これにより、映像変換システムは、パネル表示部２の映像光を検出する速度及びスクリーン１に映像光を出射する速度を向上させることができるので、スクリーン１に表示させる映像を更新する速度を向上させることができる。
【００４０】
更にまた、映像変換システムは、図１１に示すように、パネル表示部２、光ファイバ３の光入力部３ａ、光ファイバ３の光出力部３ｂ、スクリーン１に入射する外光を遮断する遮光部１１を備えていることが望ましい。これにより、映像変換システムは、パネル表示部２と光入力部３ａとの間や、光ファイバ３の外側や、光出力部３ｂとスクリーン１との間や、スクリーン１に対して、外乱光が入射して、スクリーン１に表示する映像に影響を与えることを回避できる。この遮光部１１は、パネル表示部２と光入力部３ａとの間や、光ファイバ３の外側や、光出力部３ｂとスクリーン１との間や、スクリーン１を覆い込んで外光を遮断するように設けられていれば良く、例えば間仕切りなどが使用できる。
【００４１】
これにより、映像変換システムは、外部からの外乱光の影響が少ないパネル表示部２で表示したオリジナルに近い映像をスクリーン１によって表示させることができる。
【００４２】
つぎに、上述したように構成された映像変換システムによって、偏光方式によって立体映像をスクリーン１に表示させるものについて説明する。なお、特に説明しない限り、映像変換システムは、上述した構成をそのまま備えるものとする。
【００４３】
この映像変換システムは、図１２に示すように、観察者に偏光メガネ１２を装着させ、スクリーン１を覆うように偏光フィルタ１３を配置し、パネル表示部２から右眼用映像光と左眼用映像光とを出力させる。なお、右眼用映像光と左眼用映像光とは、立体的に映像を視認させるための所定の視差が設定されており、且つ、直線偏光（縦横又は斜め（ハの字））、円偏光などが異なった光となっている。
【００４４】
この映像変換システムは、右眼用映像光及び左眼用映像光を発生させる左右映像用の表示コントローラ６’によって、右眼用映像光又は左眼用映像光を発生させるようにパネル表示部２を動作させる。ここで、パネル表示部２は、右眼用映像光を発生するための画素群と左眼用映像光を発生するための画素群が予め設定されている。表示コントローラ６は、右眼用の映像信号に従ってパネル表示部２の右眼用映像光用の画素群によって右眼用映像光を発生させ、左眼用の映像信号に従ってパネル表示部２の左眼用映像光用の画素群によって左眼用映像光を発生させる。そして、この右眼用映像光及び左眼用映像光は、光入力部３ａによって検出され、光ファイバ部３ｃを介して光出力部３ｂに伝達される。
【００４５】
スクリーン１を覆うように設けられた偏光フィルタ１３は、パネル表示部２の右眼用映像光用の画素群に対応したスクリーン１の相当位置（右眼用偏光フィルタ部ＦＲ）が右眼用映像光用の偏光方向となっている。また、偏光フィルタ１３は、パネル表示部２の左眼用映像光用の画素群に対応したスクリーン１の相当位置（左眼用偏光フィルタ部ＦＬ）が左眼用映像光用の偏光方向となっている。偏光フィルタ１３の右眼用偏光フィルタ部ＦＲと偏光メガネ１２の右眼部分とは同じ偏光方向となっており、偏光フィルタ１３の左眼用偏光フィルタ部ＦＬと偏光メガネ１２の左眼部分とは同じ偏光方向となっている。
【００４６】
この映像変換システムは、光入力部３ａがパネル表示部２のうちの右眼用映像光用の画素群上を走査している時には光出力部３ｂによって右眼用偏光フィルタ部ＦＲに相当するスクリーン１上を走査させるように、駆動部５が動作する。逆に、駆動部５は、光入力部３ａがパネル表示部２のうちの左眼用映像光用の画素群上を走査している時には光出力部３ｂによって左眼用偏光フィルタ部ＦＬに相当するスクリーン１上を走査させる。これにより、右眼用映像光を光入力部３ａによって検出している時には、当該右眼用映像光は、光ファイバ部３ｃ、スクリーン１、右眼用偏光フィルタ部ＦＲを通過して観察者側に透過して、偏光メガネ１２の右眼部分を透過して、観察者の右眼によって視認される。また、左眼用映像光を光入力部３ａによって検出している時には、当該左眼用映像光は、光ファイバ部３ｃ、スクリーン１、左眼用偏光フィルタ部ＦＬを通過して観察者側に透過して、偏光メガネ１２の左眼部分を透過して、観察者の左眼によって視認される。
【００４７】
このような映像変換システムによれば、パネル表示部２によって右眼用映像光を表示している時には当該右眼用映像光を検出するように光入力部３ａを走査させて、スクリーン１に色又は輝度の変化が連続的な右眼用映像光を表示し、パネル表示部２によって左眼用映像光を表示している時には当該左眼用映像光を検出するように光入力部３ａを走査させて、スクリーン１に色又は輝度の変化が連続的な左眼用映像光を表示することができる。
【００４８】
なお、パネル表示部２における右眼用映像光の表示部分と左眼用映像光の表示部分の配置や、偏光フィルタ１３における右眼用偏光フィルタ部ＦＲ及び左眼用偏光フィルタ部ＦＬの配置としては、図１２に示したように右眼用と左眼用とが水平方向に交互に配置されたものや垂直方向に交互に配置されたものが、映像の偏りが少なく効率の良い配置として望ましい。ここで、右眼用と左眼用が水平や垂直に交互に配置されていることによって、光入力部３ａ及び光出力部３ｂは水平又は垂直に走査させることとなる。また、この映像変換システムは、スクリーン１と偏光フィルタ１３とが別個になっているが、偏光フィルタ１３の機能を持つ薄膜でスクリーン１を構成しても良い。
【００４９】
つぎに、上述したように構成された映像変換システムによって、時分割方式によって立体映像をスクリーン１に表示させるものについて説明する。なお、特に説明しない限り、映像変換システムは、上述した構成をそのまま備えるものとする。
【００５０】
この映像変換システムは、図１３に示すように、観察者に液晶シャッタメガネ１４を装着させる。この液晶シャッタメガネ１４は、観察者の右眼部分と左眼部分とが液晶シャッタ部１４Ｒ，１４Ｌによって構成されている。この液晶シャッタ部１４Ｒ，１４Ｌは、一方が光透過して他方が光遮断する状態と、一方が光遮断して他方が光透過する状態とが所定の周波数で切り替えられる。また、この映像変換システムは、パネル表示部２によって観察者の右眼で視認させる右眼用映像光と、観察者の左眼で視認させる左眼用映像光とを所定の周波数で切り替える。右眼用映像光と左眼用映像光とは、立体的に映像を視認させるための所定の視差が設定されている。この液晶シャッタメガネ１４の光透過、光遮断の状態と、パネル表示部２によって表示する右眼用映像光と左眼用映像光との切替処理は、同期管理部１５によって行われる。
【００５１】
同期管理部１５は、例えば、１２０Ｈｚといった所定周期で液晶シャッタメガネ１４の液晶シャッタ部１４Ｒ，１４Ｌの光透過、光遮断の切り替え周波数と、パネル表示部２によって発生している右眼用映像光と左眼用映像光との切り替え周波数との同期を取る。この同期管理部１５は、左右映像用の表示コントローラ６’及び液晶シャッタメガネ１４に同期信号を供給することによって、この同期を実現する。なお、表示コントローラ６’と同期処理部１５とを同じパーソナルコンピュータによって構成しても良く、別のパーソナルコンピュータで構成しても良い。
【００５２】
これによって、左右映像用の表示コントローラ６’は、同期管理部１５から供給された同期信号に従って、右眼用の映像信号に基づいてパネル表示部２の画素群によって右眼用映像光を発生させ、左眼用の映像信号に基づいてパネル表示部２の画素群によって左眼用映像光を発生させる。そして、この右眼用映像光及び左眼用映像光は、所定の周波数で光入力部３ａによって検出され、光ファイバ部３ｃを介して光出力部３ｂに伝達される。同時に、同期管理部１５は、表示コントローラ６’に供給している同期信号と同じ同期信号を液晶シャッタメガネ１４に供給し、液晶シャッタ部１４Ｒ，１４Ｌを開閉動作させる。
【００５３】
この映像変換システムは、光入力部３ａが右眼用映像光の発生時にパネル表示部２上を走査している時には光出力部３ｂによってスクリーン１に右眼用映像光を投影して、右眼用映像を表示させ、光入力部３ａが左眼用映像光の発生時にパネル表示部２上を走査している時には光出力部３ｂによってスクリーン１に左眼用映像光を投影して、左眼用映像を表示させる。これにより、右眼用映像光を光入力部３ａによって検出している時には、当該右眼用映像光は、光ファイバ部３ｃ、スクリーン１を通過して観察者側に透過して、液晶シャッタメガネ１４の液晶シャッタ部１４Ｒを透過して、観察者の右眼によって視認される。また、左眼用映像光を光入力部３ａによって検出している時には、当該左眼用映像光は、光ファイバ部３ｃ、スクリーン１を通過して観察者側に透過して、液晶シャッタメガネ１４の液晶シャッタ部１４Ｌを透過して、観察者の左眼によって視認される。
【００５４】
このような映像変換システムによれば、パネル表示部２によって右眼用映像光を表示している時には当該右眼用映像光を検出するように光入力部３ａを走査させて、スクリーン１に色又は輝度の変化が連続的な右眼用映像光を表示し、パネル表示部２によって左眼用映像光を表示している時には当該左眼用映像光を検出するように光入力部３ａを走査させて、スクリーン１に色又は輝度の変化が連続的な左眼用映像光を表示することができる。
【００５５】
映像変換システムによれば、パネル表示部２によって右眼用映像光を表示している時には当該右眼用映像光を検出するように光入力部３ａを走査させて、スクリーン１に色又は輝度の変化が連続的な右眼用映像光を表示し、パネル表示部２によって左眼用映像光を表示している時には当該左眼用映像光を検出するように光入力部３ａを走査させて、スクリーン１に色又は輝度の変化が連続的な左眼用映像光を表示することができる。
【００５６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５７】
【図１】本発明を適用した映像変換システムの構成を示すブロック図である。
【図２】本発明を適用した映像変換システムによって段階的に色又は輝度が変化する映像（ａ）を、連続的に色又は輝度が変化する映像（ｂ）に変換することの説明図である。
【図３】本発明を適用した映像変換システムによって段階的に色又は輝度が変化する映像を、連続的に色又は輝度が変化する映像に変換する原理を説明する図である。
【図４】本発明を適用した映像変換システムの基本的な動作を説明する図である。
【図５】本発明を適用した映像変換システムにおいて、映像発生部とスクリーンとの形状が異なる場合の動作について説明する図である。
【図６】本発明を適用した映像変換システムにおいて、光ファイバの光入力部及び光出力部が映像発生部及びスクリーンを走査する方式を示す図である。
【図７】本発明を適用した映像変換システムにおいて、映像発生部の行間を光入力部によって走査して縦方向の色又は輝度の変化も連続的にすることの説明する図である。
【図８】本発明を適用した映像変換システムにおいて、映像発生部の列間を光入力部によって走査して横方向の色又は輝度の変化も連続的にすることの説明する図である。
【図９】本発明を適用した映像変換システムにおいて、映像発生部によって表示させている映像を拡大させてスクリーンに表示することの説明図である。
【図１０】本発明を適用した映像変換システムにおいて、光ファイバを複数本備えたものの動作を説明する図である。
【図１１】本発明を適用した映像変換システムにおいて、外乱光を遮光する構成を説明する図である。
【図１２】本発明を適用した映像変換システムによって立体映像を表示するために偏光方式を採用した構成を示す図である。
【図１３】本発明を適用した映像変換システムによって立体映像を表示するために時分割方式を採用した構成を示す図である。
【符号の説明】
【００５８】
１  スクリーン
２  パネル表示部
３  光ファイバ
３ａ  光入力部
３ｂ  光出力部
３ｃ  光ファイバ部
４  制御部
５  駆動部
５Ａ  入力側駆動部
５Ｂ  出力側駆動部
６，６’  表示コントローラ
１１  遮光部
１２  偏光メガネ
１３  偏光フィルタ
１４  液晶シャッタメガネ
１４Ｒ，１４Ｌ  液晶シャッタ部
１５  同期管理部
【図１】
2009145564.tif 000003
【図６】
2009145564.tif 000004
【図２】
2009145564.tif 000005
【図３】
2009145564.tif 000006
【図４】
2009145564.tif 000007
【図５】
2009145564.tif 000008
【図７】
2009145564.tif 000009
【図８】
2009145564.tif 000010
【図９】
2009145564.tif 000011
【図１０】
2009145564.tif 000012
【図１１】
2009145564.tif 000013
【図１２】
2009145564.tif 000014
【図１３】
2009145564.tif 000015